(57)【特許請求の範囲】
【請求項１】
太陽電池パネルを設置場所に所定の傾斜角度に保持する太陽電池パネル架台であって、
前記設置場所に互いに所定間隔をあけて配列された複数の脚部と、
該複数の脚部にそれぞれ設置されて前記太陽電池パネルを回動可能に支持する支持部と、
回動する前記太陽電池パネルを所定の傾斜角度に係止して保持する角度保持部とを備え、
該角度保持部は、前記脚部に設置された係止部と、互いに所定間隔をあけて配された複数の介装部材を介して前記太陽電池パネルに固定され前記係止部に所定の位置に係止される被係止部とを有し、
隣り合う前記介装部材間には、互いを連結して補強する補強部材が設けられていて、
該補強部材は、隣り合う前記介装部材間に設けられたブレースを備え、該ブレースは、一方の端部が前記係止部近傍に固定され、他方の端部が前記太陽電池パネル近傍に固定されていることを特徴とする太陽電池パネル架台。
【請求項２】
前記係止部には、前記被係止部を嵌合させて係止可能な凹部が、前記太陽電池パネルとともに回動する前記被係止部の軌道に沿って複数形成されていることを特徴とする請求項１に記載の太陽電池パネル架台。
【請求項３】
請求項１または２に記載の太陽電池パネル架台に太陽電池パネルが固定されていることを特徴とする太陽電池装置。
【発明の詳細な説明】
【技術分野】
【０００１】
本発明は、太陽電池パネルを敷地や屋根等の設置場所に所定の姿勢を維持して固定するための太陽電池パネル架台、及びこれに太陽電池パネルを装着した太陽電池装置に関する。
【背景技術】
【０００２】
地球環境保護の観点から、クリーンエネルギーとして太陽電池発電による電力利用が注目されている。例えば、一般住宅の屋根に太陽電池パネルを設置し、家庭内で使用する電力を補助するという態様がよく知られている。
また、近年においては、太陽電池による大規模発電が模索され、広大な敷地に多数の太陽電池パネルを設置して多量の電力を供給する試みも行われている。
【０００３】
このような太陽電池パネルは、その面が太陽光の照射の向きに対して垂直となるように設置されることが望ましく、このように設置されることで効率的に発電することができる。
この太陽の高度は、場所や季節により異なるため、設置された場所や季節にあわせて太陽電池パネルの傾斜角度を変更可能な太陽電池パネル架台が知られている（例えば特許文献１および２参照）。
【先行技術文献】
【特許文献】
【０００４】
【特許文献１】特開平８−１７０７９０号公報
【特許文献２】特開２００５−６４１４７号公報
【発明の概要】
【発明が解決しようとする課題】
【０００５】
ところで、太陽電池パネルが大型であったり多数設置されていたりする場合、太陽電池パネルの傾斜角度を変更する作業が大掛かりとなるため、太陽電池パネルの傾斜角度を容易に変更できる太陽電池パネル架台が望まれている。
また、太陽電池パネルの傾斜角度を変更する作業を行うときに、太陽電池パネルにねじれなどの外力が作用すると太陽電池パネルが損傷する虞があるため、所定の剛性および強度を有し、太陽電池パネルに外力が作用しないように支持することができる太陽電池パネル架台が望まれている。
【０００６】
本発明は、上述する事情に鑑みてなされたもので、太陽電池パネルの傾斜角度を容易に変更できるとともに、所定の剛性および強度を有し、太陽電池パネルに外力が作用しないように支持することができる太陽電池パネル架台および太陽電池装置を提供することを目的とする。
【課題を解決するための手段】
【０００７】
上記目的を達成するため、本発明に係る太陽電池パネル架台は、太陽電池パネルを設置場所に所定の傾斜角度に保持する太陽電池パネル架台であって、前記設置場所に互いに所定間隔をあけて配列された複数の脚部と、該複数の脚部にそれぞれ設置されて前記太陽電池パネルを回動可能に支持する支持部と、回動する前記太陽電池パネルを所定の傾斜角度に係止して保持する角度保持部とを備え、該角度保持部は、前記脚部に設置された係止部と、互いに所定間隔をあけて配された複数の介装部材を介して前記太陽電池パネルに固定され前記係止部に所定の位置に係止される被係止部とを有し、隣り合う前記介装部材間には、互いを連結して補強する補強部材が設けられていて、該補強部材は、隣り合う前記介装部材間に設けられたブレースを備え、該ブレースは、一方の端部が前記係止部近傍に固定され、他方の端部が前記太陽電池パネル近傍に固定されていることを特徴とする。
また、本発明に係る太陽電池装置では、上記太陽電池パネル架台に太陽電池パネルが固定されていることを特徴とする。
【０００８】
本発明では、太陽電池パネルを回動可能に支持する支持部と、回動する太陽電池パネルを所定の傾斜角度に係止して保持する角度保持部とを備えていることにより、太陽電池パネルの傾斜角度を容易に変更することができる。
【０００９】
また、隣り合う介装部材間には、互いを連結して補強する補強部材が設けられていることにより、太陽電池パネル架台の剛性および強度が確保される。
これにより、隣り合う介装部材が相対変位することを防止できるため、隣り合う介装部材の相対変位によって太陽電池パネルに外力が作用することを防止することができる。
さらに、太陽電池パネルを安定した状態で回動させることができるため、太陽電池パネルの傾斜角度を変更する作業を容易に行うことができる。
【００１１】
また、補強部材は、隣り合う介装部材間に設けられたブレースを備え、ブレースは、一方の端部が係止部近傍に固定され、他方の端部が太陽電池パネル近傍に固定されていることにより、ブレースが隣り合う介装部材どうしを確実に接合できて、隣り合う介装部材の相対変位を防止することができるとともに、介装部材の配列方向に作用する外力に抵抗することができる。
【００１２】
また、本発明に係る太陽電池パネル架台では、前記係止部には、前記被係止部を嵌合させて係止可能な凹部が、前記太陽電池パネルとともに回動する前記被係止部の軌道に沿って複数形成されていることが好ましい。
このように構成されることにより、複数の凹部のいずれかに被係止部を嵌合させることで、太陽電池パネルを所定の傾斜角度に保持することができ、被係止部を嵌合させる凹部を変更することで太陽電池パネルの傾斜角度を容易に変更することができる。
【発明の効果】
【００１３】
本発明によれば、本発明では、太陽電池パネルを回動可能に支持する支持部と、回動する太陽電池パネルを所定の傾斜角度に係止して保持する角度保持部とを備えていることにより、太陽電池パネルの傾斜角度を容易に変更することができる。
また、隣り合う脚部間または隣り合う介装部材間には、互いを連結して補強する補強部材が設けられていることにより、隣り合う脚部または隣り合う介装部材が相対変位することを防止できるため、隣り合う脚部または隣り合う介装部材の相対変位によって太陽電池パネルに外力が作用することを防止することができるとともに、太陽電池パネルを安定した状態で回動させることができて、太陽電池パネルの傾斜角度を変更する作業を容易に行うことができる。
【図面の簡単な説明】
【００１４】
【図１】（ａ）は、本発明の第１実施形態による太陽電池装置の一例を示す側面図、（ｂ）は（ａ）のａ方向矢視図である。
【図２】（ａ）は支持部を説明する正面図、（ｂ）は（ａ）の側面図、（ｃ）は（ａ）の分解斜視図である。
【図３】第１実施形態の角度保持部を説明する図である。
【図４】（ａ）は、図１に示す太陽電池装置の太陽電池パネルの傾斜角度を変更した様子を示す側面図、（ｂ）は（ａ）のｂ方向矢視図である。
【図５】（ａ）は、本発明の第２実施形態による太陽電池装置の一例を示す側面図、（ｂ）は（ａ）のｃ方向矢視図である。
【図６】第２実施形態の角度保持部を説明する図である。
【図７】（ａ）は、図５に示す太陽電池装置の太陽電池パネルの傾斜角度を変更した様子を示す側面図、（ｂ）は（ａ）のｄ方向矢視図である。
【図８】（ａ）は、本発明の第３実施形態による太陽電池装置の一例を示す側面図、（ｂ）は（ａ）のｅ方向矢視図である。
【図９】第３実施形態のブレースを説明する図である。
【発明を実施するための形態】
【００１５】
（第１実施形態）
以下、本発明の第１実施形態による太陽電池装置について、図１乃至図４に基づいて説明する。
図１（ａ）、（ｂ）に示すように、本実施形態による太陽電池装置１Ａは、太陽電池パネル２と、この太陽電池パネル２を敷地や屋根等の設置場所１０に所定の傾斜角度に保持する太陽電池パネル架台３Ａとを備えている。
【００１６】
太陽電池パネル２は、ガラス板と、このガラス板の表面に配列された多数の太陽電池素子とを備え、全体として板状に形成され、太陽光が照射される照射面２ａに太陽光が照射されると発電するように構成されている。なお、太陽電池パネル２の種類は特に限定されることはなく、公知の太陽電池パネルを用いることができる。
【００１７】
このような太陽電池パネル２は、通常、太陽光が照射される照射面２ａが南上方を向くように設置されている。そして、太陽電池パネル２は、その照射面２ａが太陽光の照射の向きに対して垂直に近いほど効率的に発電することができる。
このため、本実施形態による太陽電池装置１Ａでは、太陽電池パネル架台３Ａが、太陽電池パネル２を、南上方を向く所望の傾斜角度となるように回動可能に支持しているとともに、所望の傾斜角度に係止できるように構成されている。
ここで、太陽電池パネル２が回動する方向を、回動方向Ａと称し、図１（ａ）の矢印Ａの方向として以下説明する。
【００１８】
また、太陽電池パネル２は、図では省略しているが、回動方向Ａに直交する方向（図１（ｂ）の矢印Ｂの方向、以下、東西方向Ｂとする）に複数配列されていて、それぞれ東西方向Ｂに所定の間隔をあけて配列された２つの太陽電池パネル架台３Ａによって設置場所１０に支持されている。
なお、各太陽電池パネル２は、３つ以上の太陽電池パネル架台３Ａによって設置場所１０に支持されていてもよい。
【００１９】
太陽電池パネル架台３Ａは、設置場所１０に支持された脚部１１と、脚部１１の上端部１１ａに取り付けられて太陽電池パネル２を回動可能に支持する支持部１２と、回動する太陽電池パネル２を所定の傾斜角度に係止して保持する角度保持部１３とを備えている。
【００２０】
脚部１１は、設置場所１０に、太陽電池パネル架台３Ａの配列方向（東西方向Ｂ）に直交する方向（図１（ａ）の矢印Ｃの方向、以下、南北方向Ｃとする）に間隔をあけて設置された２つの鉄筋コンクリートの基礎１５，１５と、下端部１６ｂが基礎１５，１５に固定されて基礎１５，１５からそれぞれ斜め上方向に延びる斜材１６，１６とを備えている。この２つの斜材１６，１６は、上端部１６ａどうしが連結または近接している。この２つの斜材１６，１６の上端部１６ａは、脚部１１の上端部１１ａに相当している。
ここで、２本の斜材１６，１６のうち、南側（図１（ａ）の右側）に配されたものを第１斜材１６Ａとし、北側に配されたものを第２斜材１６Ｂとして以下説明する。
【００２１】
また、図１（ｂ）に示すように、東西方向Ｂに隣り合う第２斜材１６Ｂ，１６Ｂ間には、各上端部１６ａおよび他方の下端部１６ｂに固定され、それぞれ斜め方向に延在する一対のブレース（補強部材）１９，１９が設けられている。この一対のブレース１９，１９は、第２斜材１６Ｂ，１６Ｂを連結して補強し、第２斜材１６Ｂ，１６Ｂが相対変位することを防止するとともに、東西方向に作用する外力に効率的に抵抗することができる。
【００２２】
支持部１２は、図１および図２に示すように、２つの脚部１１，１１の上端部１１ａに設置され東西方向Ｂに延在する円筒状の軸受１７と、東西方向Ｂに延在する棒状に形成されていて軸受１７に挿通され回動方向Ａに回動可能に保持されているとともに太陽電池パネル２（図１参照）に固定された軸部１８とを備えている。
本実施形態では、２つの太陽電池パネル架台３Ａ，３Ａにそれぞれ個別に設置された軸受１７，１７の両方に、１つの軸部１８が挿通されている（図１（ｂ）参照）。
【００２３】
図２に示すように、軸部１８は、軸受１７，１７の内径よりも小さい断面形状に形成され、外周部１８ａに、外形が軸受１７の内径と略同じ円形で、軸受１７，１７に挿通されたときに軸受１７の内周面１７ａと当接する板材１８ｂが固定されている。この板材１８ｂは、軸受１７の内周面１７ａに沿って回動方向Ａに回動可能に構成されている。
そして、軸部１８は、太陽電池パネル２（図１参照）と固定されているため、回動方向Ａへ回転すると、太陽電池パネル２も回動方向Ａへ回動するように構成されている。
【００２４】
図１に戻り、角度保持部１３は、脚部１１に設置された係止部２１と、互いに所定間隔をあけて配された複数の介装部材２２を介して太陽電池パネル２に固定され係止部２１に所定の位置に係止される被係止部２３とを備えている。
【００２５】
介装部材２２は、２つの棒状の部材２４，２５を備えていて、棒状の部材２４，２５の一方の端部２４ａ，２５ａがそれぞれ太陽電池パネル２の照射面２ａと反対側の面２ｂに南北方向Ｃに所定の間隔をあけて固定され、他方の端部２４ｂ，２５ｂどうしが連結されて略Ｌ字型または略Ｖ字型を形成している。
【００２６】
また、介装部材２２は、支持部１２の東西方向Ｂ両側にそれぞれ配されていて、各介装部材２２の棒状の部材２４，２５の他方の端部２４ｂ，２５ｂが被係止部２３と固定されている。
被係止部２３は、太陽電池パネル２の東西方向Ｂに延在する棒状の部材で、両端部がそれぞれ介装部材２２に固定されている。
【００２７】
図１および図３に示すように、係止部２１は、第１斜材１６Ａの東西方向Ｂ両側に配されて面方向を鉛直方向とする一対の長尺の板状の部材で、一方の端部２１ａが第１斜材１６Ａにピン接合されて、他方の端部２１ｂが第２斜材１６Ｂに着脱可能に構成されている。なお、係止部２１の一対の板状の部材は、一体化されていてもよいし、個別に移動可能に構成されていてもよい。
そして、係止部２１の他方の端部２１ｂは、第２斜材１６Ｂの２箇所に着脱可能に構成されていて、この２箇所のうち１つには、被係止部２３を係止する時に固定され、他方には太陽電池パネル２の傾斜角度を変更する時に仮留めされている。
係止部２１と第２斜材１６Ｂとは、係止部２１および第２斜材１６Ｂに形成された孔部にピン（不図示）を挿通させることで固定または仮留めしている。
【００２８】
係止部２１には、他方の端部２１ｂ近傍に固定用孔部２６ａが形成され、固定用孔部２６ａよりも一方の端部２１ａ側に仮留用孔部２６ｂが形成されている。
また、第２斜材１６Ｂには、係止部２１の一方の端部２１ａがピン接合された高さと略同じ高さに固定用孔部２７ａ形成され、固定用孔部２７ａよりも上方に仮留用孔部２７ｂが形成されている。
【００２９】
そして、係止部２１の固定用孔部２６ａと第２斜材１６Ｂの固定用孔部２７ａの位置をあわせ、両方の孔部２６ａ，２７ａにピンを挿通させることで、係止部２１が第２斜材１６Ｂに固定される。このとき、係止部２１は、略水平方向に延在している。
また、係止部２１の他方の端部２１ｂを上方に移動させ、係止部２１の仮留用孔部２６ｂと第２斜材１６Ｂの仮留用孔部２７ｂの位置をあわせ、両方の孔部２６ｂ，２７ｂにピン（不図示）を挿通させることで、係止部２１が第２斜材１６Ｂに仮留めされる。このとき、係止部２１は、他方の端部２１ｂが一方の端部２１ａよりも上方に位置するように傾斜している。
【００３０】
係止部２１は、他方の端部２１ｂが第２斜材１６Ｂに固定されたときに下側となる端部２１ｃが略円弧状に形成され、この端部２１ｃには、被係止部２３が嵌合可能な凹部２８複数形成されている。この端部２１ｃの円弧は、支持部１２の軸部１８を中心とする円弧となっていて、太陽電池パネル２が回動したときに、被係止部２３が回動する軌跡と重なっている。
本実施形態では、係止部２１の端部２１ｃには、６個の凹部２８が形成されている。これらの凹部２８を、第１斜材１６Ａ側から第２斜材１６Ｂ側に向かって第１凹部２８ａ〜第６凹部２８ｆとして以下説明する。
【００３１】
そして、係止部２１は、６つの凹部２８のうちいずれかひとつの凹部２８に被係止部２３が嵌合した状態で、他方の端部２１ｂが第２斜材１６Ｂに固定されると、被係止部２３の回動を制止してするとともに被係止部２３の位置を固定することができる。これにより、被係止部２３が固定された太陽電池パネル２の位置を固定することができる。
このとき、被係止部２３が嵌合する凹部２８の位置を調整することによって、太陽電池パネル２の傾斜角度を調整することができる。
なお、係止部２１の６つの凹部２８ａ〜２８ｆは、等間隔に配されていてもよいし、太陽電池パネル２の傾斜角度にあわせてそれぞれ所望の位置に配されていてもよい。
【００３２】
次に、太陽電池パネル２の傾斜角度の変更方法について説明する。
ここでは、太陽電池パネル２を、図１に示すような、水平面に対して１０°傾斜した状態から、図４に示すような水平面に対して５５°傾斜した状態へ変更させる。
そして、図１に示す傾斜角度変更前の太陽電池パネル２は、被係止部２３が第１凹部２８ａに嵌合され、図４に示す傾斜角度変更後の太陽電池パネル２は、被係止部２３が第６凹部２８ｆに嵌合している。
【００３３】
まず、係止部２１の固定用孔部２６ａおよび第２斜材１６Ｂの固定用孔部２７ａに挿通されたピンを外し、係止部２１と第２斜材１６Ｂとの固定を解除する。
続いて、係止部２１を一方の端部２１ａを中心として上方へ回転させて、係止部２１の仮留用孔部２６ｂおよび第２斜材１６Ｂの仮留用孔部２７ｂの位置を合わせ、これらの仮留用孔部２６ｂ，２７ｂにピンを挿通させて、係止部２１を第２斜材１６Ｂに仮留めする。
これにより、係止部２１の凹部２８ａから被係止部２３が離れて被係止部２３の係止が解除されるため、被係止部２３とともに介装部材２２および太陽電池パネル２が、支持部１２の軸部１８を中心に回動可能となる。
【００３４】
続いて、太陽電池パネル２を水平面に対して５５°となるように回動させ、その姿勢を保持する。
このとき、被係止部２３を把持して太陽電池パネル２の傾斜角度を変えることが好ましい。そして、支持部１２から太陽電池パネル２の照射面２ａまでの距離よりも支持部１２から被係止部２３までの距離を長く設定することで、太陽電池パネル２を容易に回動させることができる。
【００３５】
続いて、係止部２１の仮留用孔部２６ｂおよび第２斜材１６Ｂの仮留用孔部２７ｂからピンを外し、係止部２１を下方に回転させる。そして、係止部２１の第６凹部２８ｆに被係止部２３を嵌合させるとともに、係止部２１の固定用孔部２６ａの位置と第２斜材１６Ｂの固定用孔部２７ａの位置とをあわせ、これらの固定用孔部２６ａ，２７ａにピンを挿通させて、係止部２１を第２斜材１６Ｂに固定する。
これにより、被係止部２３が固定され、太陽電池パネル２が水平面に対して５５°傾斜した状態で固定される。
なお、被係止部２３が嵌合される凹部２８を選択することで、太陽電池パネル２を所望の傾斜角度に設置することができる。
【００３６】
次に、上述した太陽電池パネル架台３Ａおよび太陽電池装置１Ａの作用効果について図面を用いて説明する。
本実施形態による太陽電池パネル架台３Ａおよび太陽電池装置１Ａでは、脚部１１に設置された係止部２１に形成された６つの凹部２８ａ〜２８ｆのうち所望の凹部２８を選択して、太陽電池パネル２に固定された被係止部２３を嵌合させることで太陽電池パネル２を所望の傾斜角度に設置することができるため、太陽電池パネル２の傾斜角度を容易に変更することができる。
【００３７】
また、太陽電池パネル２の傾斜角度を変更する角度保持部１３が簡便な機構であるため、製造コストを抑えることができる。
更に、隣り合う第２斜材１６Ｂ，１６Ｂ間に、ブレース１９，１９が取り付けられていることにより、太陽電池パネル架台３Ａの強度および剛性を確保することができる。
これにより、第２斜材１６Ｂ，１６Ｂの相対変位が防止され、隣り合う支持部１２，１２の相対変位が防止される。そして、太陽電池パネル２を回動させるときに、隣り合う支持部１２，１２が相対変位することによって太陽電池パネル２に外力が作用することがないため、太陽電池パネル２を容易に回動させることができるとともに、太陽電池パネル２がねじれることを防止することができる。
【００３８】
次に、他の実施形態について、添付図面に基づいて説明するが、上述の第１実施形態と同一又は同様な部材、部分には同一の符号を用いて説明を省略し、第１実施形態と異なる構成について説明する。
（第２実施形態）
図５に示すように、第２実施形態による太陽電池装置１Ｂは、太陽電池パネル架台３Ｂの脚部３１が、図１に示す第１実施形態による２つの基礎１５，１５および２つの斜材１６Ａ，１６Ｂを備える脚部１１に代わって、設置場所１０に立設する支柱となっている。
そして、角度保持部３２の係止部３３は、第１実施形態と同様に被係止部２３が嵌合可能な６つの凹部２８が形成されている。そして、係止部３３は、一方の端部３３ａが脚部３１にピン接合され、他方の端部３３ｂが脚部３１に接合された係止部支持材３４に着脱可能に構成されている。
【００３９】
係止部支持材３４は、棒状に形成され、一方の端部３４ａが係止部３３よりも上方で脚部３１にピン接合され、他方の端部３４ｂが係止部３３の他方の端部３３ｂと着脱可能に構成されている。
ここで、図６に示すように、係止部３３には、他方の端部３３ｂに１つの孔部３５が形成されている。また、係止部支持材３４には、他方の端部３４ｂに延在方向に間隔をあけて２つの孔部３６ａ，３６ｂが形成されている。係止部支持材３４の２つの孔部３６ａ，３６ｂのうち、他方の端部３４ｂ側の孔部３６ａを固定用孔部３６ａとし、一方の端部３４ａ側の孔部３６ｂを仮留用孔部３６ｂとして以下説明する。
【００４０】
そして、係止部３３の孔部３５と係止部支持材３４の固定用孔部３６ａとをあわせて、両方の孔部３５，３６ａにピン（不図示）を挿通させることで、係止部３３が係止部支持材３４に固定される。
また、係止部３３の孔部３５と係止部支持材３４の仮留用孔部３６ｂとをあわせて、両方の孔部３５，３６ｂにピン（不図示）を挿通させることで、係止部３３が係止部支持材３４に仮留めされる。
【００４１】
第２実施形態において太陽電池パネル２の傾斜角度を変更するには、まず、係止部３３の孔部３５と係止部支持材３４の固定用孔部３６ａに挿通されたピンを外し、係止部３３および係止部支持材３４を回転させて、係止部３３の孔部３５と係止部支持材３４の仮留用孔部３５ｂとの位置を合わせてピンを挿通させる。これにより、係止部３３が仮留めされる。
【００４２】
続いて、太陽電池パネル２を所定の傾斜角度となるように回転させて、その姿勢を保持する。
そして、係止部３３と係止部支持材３４との仮留を解除し、係止部３３と係止部支持材３４とを固定する。これにより、図７に示すように、太陽電池パネル２を所定の傾斜角度に支持することができる。
【００４３】
第２実施形態による太陽電池装置１Ｂおよび太陽電池パネル架台３Ｂは、第１実施形態と同様の効果を奏する。
【００４４】
（第３実施形態）
次に、第３実施形態による太陽電池装置および太陽電池パネル架台について説明する。
図８に示すように、第３実施形態による太陽電池装置１Ｃは、太陽電池パネル架台３Ｃが、第２実施形態と同様の脚部３１および係止部３３を備えている。
また、第３実施形態による太陽電池装置１Ｃでは、角度保持部４１の介装部材４２が、脚部３１の片側のみに設置されているとともに、１つの被係止部４３が複数の太陽電池パネル架台３Ｃに架設されるように設置されている。
第３実施形態による太陽電池装置１Ｃは、第１実施形態および第２実施形態による太陽電池装置１Ａ，１Ｂと比べて小規模なものを想定している。
【００４５】
そして、図９に示すように、隣り合う介装部材４２間には、ブレース（補強部材）４４が設置されている。このブレース４４は、介装部材４２の太陽電池パネル２近傍２箇所と、その隣に配された介装部材４２の被係止部４３近傍とを連結する２つから構成されている。
これにより、介装部材４２、被係止部４３および一対のブレース４４，４４が略三角錐を形成し、互いに相対変位することを防止することができるため、太陽電池パネル２を回動させるときに介装部材４２が相対変形して太陽電池パネル２に外力が作用することを防止することができる。
【００４６】
第３実施形態による太陽電池装置１Ｃおよび太陽電池パネル架台３Ｃは、第１実施形態と同様の効果を奏する。
【００４７】
以上、本発明による太陽電池装置１Ａ〜１Ｃおよび太陽電池パネル架台３Ａ〜３Ｃの実施形態について説明したが、本発明は上記の実施形態に限定されるものではなく、その趣旨を逸脱しない範囲で適宜変更可能である。
例えば、上述した実施形態では、太陽電池装置１Ａ〜１Ｃを太陽電池パネル２が南上方を向くように東西方向に配列しているが、太陽電池装置１Ａ〜１Ｃが設置される方向は、任意に設定されてよい。
また、上述した第１実施形態では、隣り合う第２斜材１６Ｂ間に一対のブレース１９，１９を設置しているが、隣り合う第１斜材１６Ａ間に一対のブレース１９，１９を設置してもよいし、一対ではなく１つのブレース１９を設置してもよい。
また、上述した第１実施形態および第３実施形態では、太陽電池装置１Ａ，１Ｃにブレース１９，４４が設けられているが、太陽電池装置１Ａ，１Ｃの強度が確保できる場合は、ブレース１９，４４が設けられていない形態としてもよい。
また、上述した第２実施形態において、隣り合う脚部３１間にブレースを設ける形態としてもよい。
【符号の説明】
【００４８】
１Ａ〜１Ｃ  太陽電池装置
２  太陽電池パネル
３Ａ〜３Ｃ  太陽電池パネル架台
１０  設置場所
１１，３１  脚部
１２  支持部
１３，３２，４１  角度保持部
１９，４４  ブレース（補強部材）
２１，３３  係止部
２２，４２  介装部材
２３，４３  被係止部
２８，２８ａ〜２８ｆ  凹部
３４  係止部支持材
【図１】
0005750287.tif 000002
【図２】
0005750287.tif 000003
【図３】
0005750287.tif 000004
【図４】
0005750287.tif 000005
【図５】
0005750287.tif 000006
【図６】
0005750287.tif 000007
【図７】
0005750287.tif 000008
【図８】
0005750287.tif 000009
【図９】
0005750287.tif 000010